(57)【特許請求の範囲】
【請求項１】
第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層と前記第２電極層との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を用いて画像情報の記録と読取りを行なう画像情報記録読取方法において、
前記記録の直前に前記第１電極層と前記第２電極層とを同電位にした状態で前記光導電層に前露光光を照射する空読みを行ない、該空読みを停止させた後、前記記録を行なうことを特徴とする画像情報記録読取方法。
【請求項２】
第１電極層と画像情報を担持する記録用の電磁波の照射を受けることにより導電性を呈する記録用光導電層と読取光の照射を受けることにより導電性を呈する読取用光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層と前記第２電極層との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を用いて画像情報の記録と読取りを行なう画像情報記録読取方法において、
前記記録の直前に前記第１電極層と前記第２電極層とを同電位にした状態で前記読取用光導電層に前露光光を照射する空読みを行ない、該空読みを停止させた後、前記記録を行なうことを特徴とする画像情報記録読取方法。
【請求項３】
前記前露光光のエネルギ密度が１００Ｃｄ／ｍ2 以上であり、該前露光光の照射時間が１ｍｓｅｃ以上１ｓｅｃ以下であることを特徴とする請求項１または２記載の画像情報記録読取方法。
【請求項４】
前記空読みに先立って、前記第１電極層と前記第２電極層との間に所定の大きさおよび所定の極性の電圧を所定の時間だけ印加する空電圧印加を行なうことを特徴とする請求項１から３いずれか１項記載の画像情報記録読取方法。
【請求項５】
前記静電潜像の記録ごとに、該記録に先立って、前記空電圧印加とそれに続く前記空読みを所定回数だけ繰り返すことを特徴とする請求項４記載の画像情報記録読取方法。
【請求項６】
第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層と前記第２電極層との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を用いて画像情報の記録と読取りを行なう画像情報記録読取方法において、
前記第１電極層と前記第２電極層との間に所定の大きさおよび所定の極性の電圧を所定の時間だけ印加する予備空電圧印加と前記第１電極層と前記第２電極層とを同電位にした状態で前記光導電層に前露光光を照射する予備空読みとを所定回数だけ繰り返す予備処理を行ない、該予備処理を停止させた後、前記記録と読取りを複数回連続して行なうことを特徴とする画像情報記録読取方法。
【請求項７】
第１電極層と画像情報を担持する記録用の電磁波の照射を受けることにより導電性を呈する記録用光導電層と読取光の照射を受けることにより導電性を呈する読取用光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層と前記第２電極層との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を用いて画像情報の記録と読取りを行なう画像情報記録読取方法において、
前記第１電極層と前記第２電極層との間に所定の大きさおよび所定の極性の電圧を所定の時間だけ印加する予備空電圧印加と前記第１電極層と前記第２電極層とを同電位にした状態で前記読取用光導電層に前露光光を照射する予備空読みとを所定回数だけ繰り返す予備処理を行ない、該予備処理を停止させた後、前記記録と読取りを複数回連続して行なうことを特徴とする画像情報記録読取方法。
【請求項８】
前記前露光光のエネルギ密度が１００Ｃｄ／ｍ2 以上であり、該前露光光の照射時間が１ｍｓｅｃ以上１ｓｅｃ以下であることを特徴とする請求項６または７記載の画像情報記録読取方法。
【請求項９】
第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層と前記第２電極層との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を使用して、画像情報の記録と読取りを行なう画像情報記録読取装置において、
前記第１電極層と前記第２電極層との間に所定の電圧を印加する電圧印加手段と、前記光導電層に前露光光を照射する前露光手段と、前記記録の直前に前記第１電極層と前記第２電極層とを同電位にした状態で前記光導電層に前記前露光光を照射させて空読みを行なわせ、該空読みを停止させた後、前記第１電極層と前記第２電極層との間に記録用電圧を印加した状態で前記記録用の電磁波を前記第１電極層に照射させて前記静電潜像の記録を行なわせるように前記前露光手段と前記電圧印加手段とを制御する制御手段とを備えたことを特徴とする画像情報記録読取装置。
【請求項１０】
第１電極層と画像情報を担持する記録用の電磁波の照射を受けることにより導電性を呈する記録用光導電層と読取光の照射を受けることにより導電性を呈する読取用光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層と前記第２電極層との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を使用して、画像情報の記録と読取りを行なう画像情報記録読取装置において、
前記第１電極層と前記第２電極層との間に所定の電圧を印加する電圧印加手段と、前記読取用光導電層に前露光光を照射する前露光手段と、前記記録の直前に前記第１電極層と前記第２電極層とを同電位にした状態で前記読取用光導電層に前記前露光光を照射させて空読みを行なわせ、該空読みを停止させた後、前記第１電極層と前記第２電極層との間に記録用電圧を印加した状態で前記記録用の電磁波を前記第１電極層に照射させて前記静電潜像の記録を行なわせるように前記前露光手段と前記電圧印加手段とを制御する制御手段とを備えたことを特徴とする画像情報記録読取装置。
【請求項１１】
前記前露光手段が、前記前露光光のエネルギ密度を１００Ｃｄ／ｍ2 以上、前記前露光光の照射時間を１ｍｓｅｃ以上１ｓｅｃ以下とするものであることを特徴とする請求項９または１０記載の画像情報記録読取装置。
【請求項１２】
前記制御手段が、前記空読みに先立って、前記第１電極層と前記第２電極層との間に所定の大きさおよび所定の極性の電圧を所定の時間だけ印加する空電圧印加が行なわれるように前記電圧印加手段を制御するものであることを特徴とする請求項９から１１いずれか１項記載の画像情報記録読取装置。
【請求項１３】
前記制御手段が、前記静電潜像の記録ごとに、該記録に先立って、前記空電圧印加とそれに続く前記空読みを所定回数だけ繰り返すように前記前露光手段および前記電圧印加手段を制御するものであることを特徴とする請求項１２記載の画像情報記録読取装置。
【請求項１４】
第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層と前記第２電極層との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を使用して画像情報の記録と読取りを行なう画像情報記録読取装置において、
前記第１電極層と前記第２電極層との間に所定の電圧を印加する電圧印加手段と、前記光導電層に前露光光を照射する前露光手段と、前記第１電極層と前記第２電極層との間に所定の大きさおよび所定の極性の電圧を所定の時間だけ印加する予備空電圧印加と、前記第１電極層と前記第２電極層とを同電位にした状態で前記光導電層に前露光光を照射する予備空読みを所定回数だけ繰り返す予備処理を行なわせ、該予備処理を停止させた後、前記記録と読取りを複数回連続して行なわせるように前記前露光手段と前記電圧印加手段とを制御する制御手段とを備えたことを特徴とする画像情報記録読取装置。
【請求項１５】
第１電極層と画像情報を担持する記録用の電磁波の照射を受けることにより導電性を呈する記録用光導電層と読取光の照射を受けることにより導電性を呈する読取用光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層と前記第２電極層との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を使用して画像情報の記録と読取りを行なう画像情報記録読取装置において、
前記第１電極層と前記第２電極層との間に所定の電圧を印加する電圧印加手段と、前記読取用光導電層に前露光光を照射する前露光手段と、前記第１電極層と前記第２電極層との間に所定の大きさおよび所定の極性の電圧を所定の時間だけ印加する予備空電圧印加と、前記第１電極層と前記第２電極層とを同電位にした状態で前記読取用光導電層に前露光光を照射する予備空読みを所定回数だけ繰り返す予備処理を行なわせ、該予備処理を停止させた後、前記記録と読取りを複数回連続して行なわせるように前記前露光手段と前記電圧印加手段とを制御する制御手段とを備えたことを特徴とする画像情報記録読取装置。
【請求項１６】
前記前露光手段が、前記前露光光のエネルギ密度を１００Ｃｄ／ｍ2 以上、前記前露光光の照射時間を１ｍｓｅｃ以上１ｓｅｃ以下とするものであることを特徴とする請求項１４または１５記載の画像情報記録読取装置。
【請求項１７】
前記前露光光が、前記光導電層に一時的に光疲労状態を形成するものであることを特徴とする請求項１または６記載の画像情報記録読取方法。
【請求項１８】
前記前露光光が、前記読取用光導電層に一時的に光疲労状態を形成するものであることを特徴とする請求項２または７記載の画像情報記録読取方法。
【請求項１９】
前記前露光光の照射から前記記録用電圧の印加までの時間が１ｓｅｃ以内であることを特徴とする請求項１または２記載の画像情報記録読取方法。
【請求項２０】
前記前露光光が、前記光導電層に一時的に光疲労状態を形成するものであることを特徴とする請求項９または１４記載の画像情報記録読取装置。
【請求項２１】
前記前露光光が、前記読取用光導電層に一時的に光疲労状態を形成するものであることを特徴とする請求項１０または１５記載の画像情報記録読取装置。
【請求項２２】
前記制御手段が、前記前露光光の照射から前記記録用電圧の印加までの時間が１ｓｅｃ以内となるように制御するものであることを特徴とする請求項９または１０記載の画像情報記録読取装置。
【発明の詳細な説明】
【０００１】
【発明の属する技術分野】
本発明は、静電記録体に画像情報を静電潜像として記録し、記録された静電潜像を読み取る画像情報記録読取方法および装置に関するものである。
【０００２】
【従来の技術】
従来より、医療用Ｘ線撮影などにおいて、被験者の受ける被爆線量の減少、診断性能の向上等のために、Ｘ線に感応する例えばａ−Ｓｅ（アモルファスセレン）から成るセレン板等の光導電体を静電記録体（感光体、放射線固体検出器）として用い、この静電記録体に放射線画像情報を担持するＸ線などの記録用の放射線を照射して、放射線画像情報を担持する潜像電荷を静電記録体の蓄電部に蓄積させ、その後レーザビームなどの読取光（読取用の電磁波）で静電記録体を走査することにより該静電記録体内に生じる電流を該静電記録体両側の平板電極あるいはクシ電極を介して検出することにより、潜像電荷が担持する静電潜像、すなわち放射線画像情報を読み取るシステムが知られている。
【０００３】
このシステムでは、両端の電極とその内部に配設された少なくとも１層の光導電層とを有してなる静電記録体を使用し、両端電極に記録用電圧が印加された状態で記録用の放射線を照射して、静電潜像を静電記録体の蓄電部に形成し、その後、静電記録体の両端電極を略同電位（通常は短絡）にし、さらに、読取光に対して透過性を有する電極（以下読取光側電極という）を介して読取光で静電記録体の光導電層を走査し、読取光側電極と光導電層との界面で発生する電子とホールのペア（電荷対）による光誘起放電によって静電潜像の電気的読取りを行なう。このシステムにおいては、前記静電潜像の読取時、像の暗部では電流が流れず、像の明部ほど大きな電流が流れる。なお、このように、記録後に静電記録体の両端電極を短絡し、また、像の明部ほど大きな電流が流れる系を、ポジ型の系といい、このポジ型の系に使用される静電記録体をポジ型の静電記録体という。
【０００４】
このようなポジ型の静電記録体の具体的な層構成としては、例えば、第１導電体層（記録光側電極層；以下同様）／記録用光導電層／蓄電部としてのトラップ層／読取用光導電層／第２導電体層（読取光側電極層；以下同様）からなるもの（米国特許第４５３５４６８号など）、第１導電体層／記録用兼読取用の光導電層／第２導電体層からなり、光導電層と第２導電体層との界面に蓄電部が形成されるもの（Medical Physics,Vol.16,No.1,Jan/Feb 1989;P105-P109）、第１導電体層／絶縁体層／記録用兼読取用の光導電層／第２導電体層からなり、絶縁体層と光導電層との界面に蓄電部が形成されるものなどがある。
【０００５】
また、本願出願人は、ポジ型の静電記録体として、記録用の放射線に対して透過性を有する第１導電体層、記録用の放射線の照射を受けることにより光導電性を呈する記録用光導電層、第１導電体層に帯電される電荷と同極性の電荷に対しては略絶縁体として作用し、かつ、該同極性の電荷と逆極性の電荷に対しては略導電体として作用する電荷輸送層、読取光（読取用の電磁波）の照射を受けることにより光導電性を呈する読取用光導電層、読取光に対して透過性を有する第２導電体層を、この順に積層して成り、記録用光導電層と電荷輸送層との界面に蓄電部が形成されるものを提案している（特願平１０−２３２８２４号、同１１−８７９２２号、同１１−８９５５３号）。
【０００６】
【発明が解決しようとする課題】
しかしながら、前記ポジ型の静電記録体は何れも、読取光に対して透過性を有する第２導電体層とａ−Ｓｅなどからなる光導電層との界面に障壁電界が形成され、記録用の放射線の線量が０ｍＲ領域であっても、読取光の照射によって電流が流れ、いわゆる光起電力ノイズという問題を生じる。
【０００７】
また、使用を続けると、前記光起電力ノイズは、局所的に場所依存性が発生するようになり、その結果アーチファクトとなるという問題が生じる。
【０００８】
また、静電記録体の光導電層には、ａ−Ｓｅなどの高抵抗なアモルファス物質（トラップを有する）が一般に使われるが、静電記録体の両端電極間に電圧（一般には高圧）を印加してから短絡までの間には、電極から光導電層への直接電荷注入が生じ、注入された電荷が光導電層内部あるいは光導電層と電極との界面に空間電荷としてトラップされつつ、一方で空間電荷としてはトラップされずに漏れ電流として光導電層内に暗電流が流れ、この暗電流が暗潜像として蓄電部に蓄積され、読取りに際して再生画像に所謂暗潜像ノイズとなって現れるという問題がある。この暗電流は、電圧印加当初は大きく、時間と共に減少し、その後一定の漏れ電流値に近づいていくという性質がみられる。即ち、電圧印加直後の暗電流レベルは、安定化した状態（安定した漏れ電流状態）の暗電流レベルよりも大きい。この現象は、印加電圧が高いほど顕著であり、漏れ電流レベルに安定化するまで、例えば１０分以上要する場合もある。さらに、一旦安定化したとしても、両電極を短絡してしばらくの間電圧印加を休止すると、その後に再度電圧を印加した直後には暗電流レベルが元の大きさに戻る傾向を示す。したがって、電圧印加直後の大レベルの暗電流による暗潜像は読取りに際しては大きなノイズ源となる。さらに、この暗潜像の量は、電圧を印加してから記録用の放射線を照射するまでの時間や使用履歴と共に変化するため、暗潜像ノイズが再生画像に現れないように、画像データを補正することも困難である。
【０００９】
さらに、電極と光導電層との界面には、前記の通り、記録用電圧の印加によって形成された空間電荷による電界が形成されるが、さらに読出しに先立って短絡される結果、電圧印加（一般には高圧印加）と短絡の履歴を受けた新たな電界が形成され、この新たな電界下において光（読取光）が照射されるために高圧印加履歴ノイズが発生するという問題がある。そしてこの高圧印加履歴ノイズも時間や使用履歴と共に変化するため前記暗潜像ノイズと同様に補正が困難である。
【００１０】
また、使用を続けると、この高圧印加履歴ノイズは、前記光起電力ノイズと同様に、局所的に場所依存性が発生するようになり、その結果アーチファクトとなるという問題が生じる。
【００１１】
一方、本願出願人は、上記特願平１０−２３２８２４号において、電圧印加中であって記録用の放射線が照射される前に前露光光を読取用光導電層に照射し、電荷輸送層の整流性を利用して、記録用の放射線が照射される前に蓄電部に蓄積した暗潜像や残像を低減する画質劣化防止方法を提案している。
【００１２】
さらに、電荷輸送層と記録用光導電層の障壁を適度に設けることによって、若干のホール障壁を形成し、前露光によってホールをホール障壁に蓄積することによりフラットバンド化し、光起電力ノイズを低減することも提案している。
【００１３】
しかしながら、これらの方法は、本願出願人が提案した特願平１０−２３２８２４号などに記載の電荷輸送層を含む静電記録体でのみ成立するものであり、その他の上述した静電記録体に、特願平１０−２３２８２４号に記載の方法を適用することはできない。
【００１４】
また電荷輸送層と記録用光導電層の界面に光起電力を丁度キャンセルする程度のホール障壁を形成することは容易でない。
【００１５】
さらに、もともと読取光側電極からの暗電流の方が大きくて、静電潜像とは逆極性の暗潜像が蓄電部に形成されるような場合には、上記前露光はむしろ暗潜像を増大させることになる。
【００１６】
本発明は、上記の事情に鑑みてなされたものであり、光読出方式且つポジ型の静電記録体を使用する場合において、光起電力ノイズの低減とその安定化を図ることができる画像情報記録読取方法および装置を提供することを目的とするものである。
【００１７】
また、本発明は、電圧印加直後に形成される暗潜像の低減とその安定化を図ることができる画像情報記録読取方法および装置を提供することを目的とするものである。
【００１８】
また、本発明は、記録用電圧の印加と短絡を行なうことにより生じる高圧印加履歴ノイズの低減とその安定化を図ることができる画像情報記録読取方法および装置を提供することを目的とするものである。
【００１９】
【課題を解決するための手段】
本発明の第１の画像情報記録読取方法は、第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を用いて画像情報の記録と読取りを行なう画像情報記録読取方法において、前記第１電極層の電極と前記第２電極層の電極とを同電位にした状態で前記光導電層に前露光光を照射する空読みを行ない、該空読みを停止させた後、前記記録を行なうことを特徴とするものである。
【００２０】
本発明に使用される静電記録体は、第１電極層、光導電層、および第２電極層をこの順に有すると共に、第１電極層と２電極層との間に蓄電部が形成されて成るものであって、上述のように光読出方式且つポジ型のものであれば良く、蓄電部を形成するために、例えば上記米国特許第４５３５４６８号や特願平１０−２３２８２４号などに記載のように、さらに他の層や微小導電部材（マイクロプレート）を積層して成るものであってもかまわない。
【００２１】
「画像情報を担持する記録用の電磁波」としては、例えば、被写体にＸ線などの放射線を照射して得られる透過放射線画像情報を担持する透過放射線、この透過放射線を一旦蛍光体（シンチレータ）に照射して得た透過放射線画像情報を担持する蛍光などの放射線の励起により発せられる光、あるいは画像情報を担持する一般的な可視光などを用いることができる。
【００２２】
「第１電極層の電極と第２電極層の電極とを同電位にした状態」とは、両電極層の電極を直接接続して同電位にした状態に限らず、例えばオペアンプのイマジナリーショートを介したり抵抗を介するなどのように、両電極間に多少の電位差を有し得るものの、両電極層の電極が実質的に同電位となるようにした状態も含む。
【００２３】
なお、前記空読みのための前露光光は、後述する光疲労などを効果的に生じさせるために光強度が強いことが好ましい。一方、この前露光の照射は、長時間（例えば１０ｓｅｃ）である必要はなく、比較的短時間（例えば１ｍｓｅｃ〜１ｓｅｃ程度）で十分である。したがって、本発明の第１の画像情報記録読取方法においては、前露光光のエネルギ密度を１００Ｃｄ／ｍ2 以上、好ましくは１０００Ｃｄ／ｍ2 以上とし、この前露光光の照射時間を１ｍｓｅｃ以上１ｓｅｃ以下、好ましくは１０ｍｓｅｃ以上１００ｍｓｅｃ以下とするのがよい。
【００２４】
なお、この前露光を照射することにより得られる効果の持続時間の関係から、前露光の照射はできるだけ記録用高電圧を印加する直前（例えば１ｓｅｃ以内）に行なう方が好ましい。
【００２５】
本発明の第１の画像情報記録読取方法においては、前記空読みに先立って、第１電極層の電極と第２電極層の電極との間に所定の大きさおよび所定の極性の電圧を所定の時間だけ印加する空電圧印加を行なうことが望ましい。
【００２６】
「空読みに先立って」とは、少なくとも空電圧印加の開始が空読みの開始よりも先であれば良く、空電圧印加の停止と空読みの開始とは、夫々が多少相前後してもかまわない。
【００２７】
この空電圧印加は、該空電圧印加により得られる効果の持続時間の関係から、できだけ記録用高電圧を印加する直前（例えば１ｓｅｃ以内）に行なう方が好ましい。また、この空電圧印加は、長時間（例えば１０ｓｅｃ）である必要はなく、比較的短時間（例えば１ｓｅｃ以内）で十分である。
【００２８】
また、本発明の第１の画像情報記録読取方法においては、前記静電潜像の記録ごとに、該記録に先立って、前記空電圧印加とそれに続く前記空読みを所定回数だけ繰り返す前処理を行なうことが望ましい。
【００２９】
空電圧印加と空読みとを繰り返し行なう前処理の１サイクル（時間幅Ｔ）内の空電圧印加のオン・オフの各時間（Ｔon，Ｔoff ）のデューティ比（Ｔon／Ｔ）は５０％以上、好ましくは９０％程度とするとよい。
【００３０】
なお、前述のように、静電潜像の記録ごとに空電圧印加と空読みとを繰り返す前処理を行なうと、該前処理の分だけ直ちに記録を行なうことができず、前処理の分だけオペレータが撮影を待たされる。特に前処理の繰り返しに時間を要する場合には撮影待ちが顕著となる。また、１サイクル当たりの時間幅が短い連続撮影を行なうことが事実上難しくなる、あるいは連続撮影（１サイクル当たりに時間幅は不問）を行なうと前処理ごとにノイズ量が徐々に変化し長期的安定性には優れないといった問題が生じる。本発明の第２の画像情報記録読取方法はこのような問題を解消するものである。
【００３１】
すなわち、本発明の第２の画像情報記録読取方法は、第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を用いて画像情報の記録と読取りを行なう画像情報記録読取方法において、
前記第１電極層の電極と前記第２電極層の電極との間に所定の大きさおよび所定の極性の電圧を所定の時間だけ印加する予備空電圧印加と前記第１電極層の電極と前記第２電極層の電極とを同電位にした状態で前記光導電層に前露光光を照射する予備空読みとを所定回数だけ繰り返す予備処理を行ない、該予備処理を停止させた後、前記記録と読取りを複数回連続して行なうことを特徴とするものである。
【００３２】
記録と読取りを複数回連続して行なうとは、所謂連続撮影を行なうことを意味する。ここで、予備処理後に連続撮影を行なうに際しては、記録と読取りのみを連続して行なう態様だけでなく、前記第１の方法を組み合わせたものであってもよい。例えば、「空読み＋記録＋読取り」を１サイクルとして複数回連続的に行なう態様、「空電圧印加＋空読み＋記録＋読取り」を１サイクルとして複数回連続的に行なう態様、「空電圧印加と空読みの繰り返し＋記録＋読取り」を１サイクルとして複数回連続的に行なう態様である。また、各サイクルを任意に組み合わせてもよい。
【００３３】
予備処理を行なうことにより、連続撮影直前の前処理を大きく時間短縮することができ、場合によっては不要とすることもできる。
【００３４】
この第２の方法においても、前記第１の方法と同じように、前記予備空読みのための前露光光のエネルギ密度を１００Ｃｄ／ｍ2 以上、好ましくは１０００Ｃｄ／ｍ2 以上とし、この前露光光の照射時間を１ｍｓｅｃ以上１ｓｅｃ以下、好ましくは１０ｍｓｅｃ以上１００ｍｓｅｃ以下とするのがよい。
【００３５】
予備空電圧印加と予備空読みとを繰り返し行なう予備処理の時間幅は、少なくとも１０ｓｅｃ以上好ましくは６０ｓｅｃ以上で、前記連続撮影の時間幅と略同じかそれ以上に設定するとよいが、予備処理を行なうことにより得られる効果を十分に享受するためには、撮影を行なっていない間中は、常に予備処理を行なっていた方が好ましい。
【００３６】
また、１サイクル（時間幅Ｔ）内の予備空電圧印加のオン・オフの各時間幅（Ｔon，Ｔoff ）は、オン時間Ｔonが１秒〜１０秒、好ましくは１秒程度で、デューティ比（Ｔon／Ｔ）が７０％以上、好ましくは９０％程度とするとよい。
【００３７】
上記において、光導電層に前露光光や露光光を照射するに際しては、読取光が照射される電極層（通常は第２電極層）側から照射するのが望ましく、また、これらの前露光光や露光光は、静電記録体の全面に亘って、略一様の光量の光であるのが望ましい。
【００３８】
本発明の第１の画像情報記録読取装置は、上記第１の画像情報記録読取方法を実施する装置、即ち、第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を使用して、画像情報の記録と読取りを行なう画像情報記録読取装置であって、
前記第１電極層の電極と前記第２電極層の電極との間に所定の電圧を印加する電圧印加手段と、
前記光導電層に前露光光を照射する前露光手段と、
前記第１電極層の電極と前記第２電極層の電極とを同電位にした状態で前記光導電層に前記前露光光を照射させて空読みを行なわさせ、該空読みを停止させた後、前記第１電極層の電極と前記第２電極層の電極との間に記録用電圧を印加した状態で前記記録用の電磁波を前記第１電極層に照射させて前記静電潜像の記録を行なわさせるように前記前露光手段と前記電圧印加手段とを制御する制御手段とを備えたことを特徴とするものである。
【００３９】
本発明の第１の画像情報記録読取装置においては、前露光手段が、前露光光のエネルギ密度を１００Ｃｄ／ｍ2 以上、前露光光の照射時間を１ｍｓｅｃ以上１ｓｅｃ以下とするものであることが望ましい。
【００４０】
本発明の第１の画像情報記録読取装置においては、前記制御手段を、前記空読みに先立って、第１電極層の電極と第２電極層の電極との間に所定の大きさおよび所定の極性の電圧を所定の時間だけ印加する空電圧印加が行なわれるように電圧印加手段を制御するものとするのが望ましい。
【００４１】
また、本発明の第１の画像情報記録読取装置においては、前記制御手段を、前記静電潜像の記録ごとに、該記録に先立って、前記空電圧印加とそれに続く前記空読みを所定回数だけ繰り返すように前記前露光手段および前記電圧印加手段を制御するものとするとより望ましい。
【００４２】
本発明の第２の画像情報記録読取装置は、上記第２の画像情報記録読取方法を実施する装置、即ち、第１電極層と画像情報を担持する記録用の電磁波の照射を受けることにより導電性を呈する光導電層と第２電極層とをこの順に有すると共に前記電磁波のエネルギ量に応じた量の電荷を潜像電荷として蓄積する蓄電部が前記第１電極層と前記第２電極層との間に形成されて成り、前記第１電極層の電極と前記第２電極層の電極との間に記録用電圧を印加した状態で前記第１電極層に前記記録用の電磁波が照射されることにより前記蓄電部に画像情報が静電潜像として記録され、且つ前記第１電極層と前記第２電極層とを同電位にした状態で前記潜像電荷の量に応じた画像情報が読み取られる静電記録体を使用して画像情報の記録と読取りを行なう画像情報記録読取装置であって、
前記第１電極層の電極と前記第２電極層の電極との間に所定の電圧を印加する電圧印加手段と、
前記光導電層に前露光光を照射する前露光手段と、
前記第１電極層の電極と前記第２電極層の電極との間に所定の大きさおよび所定の極性の電圧を所定の時間だけ印加する予備空電圧印加と、前記第１電極層の電極と前記第２電極層の電極とを同電位にした状態で前記光導電層に前露光光を照射する予備空読みを所定回数だけ繰り返す予備処理を行なわさせ、該予備処理を停止させた後、前記記録と読取りを複数回連続して行なわさせるように前記前露光手段と前記電圧印加手段とを制御する制御手段とを備えたことを特徴とするものである。
【００４３】
本発明の第２の画像情報記録読取装置においては、前露光手段が、前露光光のエネルギ密度を１００Ｃｄ／ｍ2 以上、前露光光の照射時間を１ｍｓｅｃ以上１ｓｅｃ以下とするものであることが望ましい。
【００４４】
なお、上記いずれの方法および装置においても、静電記録体は、第１電極層と第２電極層とを同電位にした状態で、読取光の照射を受けることにより導電性を呈する光導電層に前記読取光が照射され（通常は第２電極層側から）、光誘起放電を起こすことにより前記潜像電荷の量に応じた画像情報が読み取られる光読出方式のものであることが好ましい。
【００４５】
前記読取光は、読取用の電磁波であって、可視光に限らない。読取光の照射を受けることにより導電性を呈する光導電層は、記録用の電磁波の照射を受けることにより導電性を呈する光導電層と兼用のものでもよいし、これとは別の専用の光導電層でもよい。
【００４６】
【発明の効果】
本発明の第１の画像情報記録読取方法および装置によれば、第１電極層の電極と第２電極層の電極とを同電位にした状態で光導電層に前露光光を照射する空読みを行ない、該空読みを停止した後、静電潜像の記録を行なうようにしたので、前露光光が照射された光入射界面（電子−ホールペア形成領域）に、光疲労状態（トラップ蓄積状態）が一時的に形成されるようになり、読取光を照射した際に生じ得る光起電力ノイズが前記光疲労状態によって低減すると共に安定化するようになる。
【００４７】
また、前露光光により電極と光導電層との界面の空間電荷状態を低減し安定化させる、つまり高圧印加履歴ノイズを低減させることもできる。
【００４８】
また、後述するように、記録用電圧の印加と短絡を行なったときの静電記録体に流れる暗電流Ｉと時間ｔとの関係を示す電流応答はＩ∝ｔ-nなる関係、すなわちｌｏｇＩ−ｌｏｇｔで捉えると一定の時定数のところに電流が集中しない状態となり、電極と光導電層との界面における空間電荷の振る舞いとして、時定数の短いもの（１数以下）と時定数の長い（数１０秒〜１分程度以上）ものとがあるが、前述のように、空読みに先立って行なう空電圧印加は比較的短時間（１ｍｓｅｃ〜１ｓｅｃ程度）であればよく、この空電圧印加を短時間だけ行なって停止させると、時定数の短い空間電荷のみが応答し得る。
【００４９】
したがって、前記空読みに先立って、両電極間に所定の大きさおよび所定の極性の電圧を所定の時間だけ印加する空電圧印加を行なうようにすれば、光導電層内部あるいは光導電層と電極との界面に、見かけ上安定化した高抵抗状態をもたらす空間電荷状態が形成されるようになり、しかも蓄電部には暗潜像蓄積の少ない状態が実現される。このため、記録用電圧を印加した直後には、従来のような大レベルの暗潜像ノイズが生じる虞がなくなり、暗潜像ノイズが低減すると共に安定化するようになる。
【００５０】
また、前述のように、短時間の電圧印加では、時定数の短い空間電荷のみが応答し得るので、静電潜像の記録ごとに、該記録に先立って、空電圧印加とそれに続く空読みとを所定回数だけ繰り返す前処理を行なうようにすれば、比較的短時間で注入あるいは放出される空間電荷による浅いトラップの形成と開放とを促進し、一方比較的長時間をかけなければ注入あるいは放出されない空間電荷による深いトラップが安定的に蓄積された状態を作ることができるようになる。このことは、電圧印加と短絡の履歴を受けた電界下において光が照射されることによって生じる前記高圧印加履歴ノイズの安定化（繰り返し安定化）に効果があり、高圧印加履歴ノイズが再生画像に現れないように画像データを補正することもできるようになる。
【００５１】
一方、本発明の第２の画像情報記録読取方法および装置によれば、予備空電圧印加と予備空読みとを繰り返す予備処理を行ない、該予備処理を停止させた後、前記記録と読取りを複数回連続して行なうようにしたので、連続撮影時の１サイクル当たりの時間幅を問わず、記録と読取りのみを繰り返すすなわち読取り後直ちに記録を行なうことができ、また間に長時間の前処理を挟むことなく連続撮影を行なうことができるので長期的安定性に優れたものとすることができる。
【００５２】
【発明の実施の形態】
以下、図面を参照して本発明の実施の形態について詳細に説明する。図１は本発明の画像情報記録読取方法および装置を適用した、放射線画像撮影読取装置の概略図である。
【００５３】
図１に示すように、この放射線画像撮影読取装置１は、静電記録体としての放射線固体検出器（以下単に検出器とも言う）１０と、検出器１０に積層された面状光源３０、面状光源３０を制御する光源制御手段４０および検出器１０の電荷を読み出す電流検出回路５０からなる読取部２０と、放射線照射部６０とを有する。これらは、本発明を適用しない従来の装置が有するものと同様のものである。本発明を適用した装置１は、更に電流検出回路５０および放射線照射部６０と接続された制御手段７０を有している。
【００５４】
検出器１０は、特願平１０−２３２８２４号に記載した改良型直接変換方式（直接変換且つ光読出方式）の静電記録体であって、画像情報を担持する電磁波としての被写体を透過した記録用の放射線（例えば、Ｘ線等；以下記録放射線という）が第１電極層（導電体層）１１に照射されることにより記録用光導電層１２内に電荷が発生し、この発生した電荷を記録用光導電層１２と電荷輸送層１３との界面である蓄電部１９に潜像電荷として蓄積し、読取光（読取用の電磁波）で第２電極層（導電体層）１５が走査されることにより読取用光導電層１４内に電荷が発生し前記潜像電荷と電荷再結合して潜像電荷の量に応じた電流を発生するものである。読取用電極層としての第２電極層１５は、多数の線状電極（図中の斜線部）がストライプ状に配列されて成るものである。以下第２電極層１５の電極をストライプ電極１６といい、各線状電極をエレメント１６ａという。
【００５５】
記録用光導電層１２、電荷輸送層１３、および読取用光導電層１４には、アモルファス状の物質としてのａ−Ｓｅを主成分とするものを使用する。
【００５６】
面状光源３０は、導電層３１，ＥＬ層３２，導電層３３から成るＥＬ発光体であり、上述のように検出器１０に積層されている。検出器１０のストライプ電極１５と導電層３１との間には絶縁層３４が設けられる。導電層３１は、多数のエレメント（図中の斜線部）３１ａがストライプ状に配列されて成るものであり、各エレメント３１ａは、検出器１０のストライプ電極１６の各エレメント１６ａと交差（本例では略直交）するように配列されており、これにより、エレメント３１ａによるライン状の光源が面状に多数配列するように構成される。各エレメント３１ａは光源制御手段４０に接続されている。
【００５７】
ＥＬ層３２としては、検出器１０の読取用光導電層１４の主成分であるａ−Ｓｅとのマッチングを考慮して、波長４７０ｎｍ程度のＥＬ光が発せられるような物資を用いる。
【００５８】
光源制御手段４０は、エレメント３１ａとそれに対向する導電層３３との間に所定の電圧を印加するものであり、読取時にはエレメント３１ａに個別に電圧を印加し、前露光時には複数または全てのエレメント３１ａに同時に電圧を印加するものである。例えば、エレメント３１ａを順次切り替えながら、夫々のエレメント３１ａと導電層３３との間に所定の直流電圧を印加すると、エレメント３１ａと導電層３３とに挟まれたＥＬ層３２からＥＬ光が発せられ、エレメント３１ａを透過したＥＬ光はライン状の読取光（以下ライン光という）として利用される。すなわち、面状光源３０としては、ライン状の微小光源を面状に多数配列したものと等価となり、ストライプ電極１６の長手方向の一方の端から他方の端までの全部についてエレメント３１ａを順次切り替えてＥＬ発光させることにより、ライン光でストライプ電極１６の全面を電気的に走査することになる。なお、エレメント１６ａの長手方向が副走査方向に対応し、ライン光の延びる方向が主走査方向に対応する。
【００５９】
一方、複数または全てのエレメント３１ａに同時に電圧を印加すると、この電圧の印加によりＥＬ層３２からストライプ電極１６の全面に亘って略一様にＥＬ光が発せられ、このＥＬ光が前露光光として利用される。つまり、面状光源３０は読取光源としてだけでなく後述する前露光用の光源としても機能し、この面状光源３０と光源制御手段４０とが、本発明の前露光手段として機能するように構成されている。
【００６０】
光源制御手段４０には、制御信号Ｃ１が入力されるようになっており、制御信号Ｃ１がＬ（ロー）のときには前露光光としてのＥＬ光を発する前露光モード、Ｈ（ハイ）のときには読取光としてのＥＬ光を発する読取光モードとなる。制御信号Ｃ１がハイインピーダンス状態のときには面状光源３０からはＥＬ光が発せられない。
【００６１】
電流検出回路５０は、ストライプ電極１６の各エレメント１６ａ毎に、反転入力端子に接続された電流検出アンプ５１を多数有している。検出器１０の第１電極層１１はスイッチ５２の一方の入力および電源５３の負極に接続されており、電源５３の正極はスイッチ５２の他方の入力に接続されている。スイッチ５２および電源５３とにより、本発明による電圧印加手段が構成される。
【００６２】
スイッチ５２の出力は各電流検出アンプ５１を構成する不図示のオペアンプの非反転入力端子に共通に接続されている。面状光源３０から読取光としてのライン光がストライプ電極１６側に照射（走査露光）されることにより、各電流検出アンプ５１は、各エレメント１６ａに流れる電流を、接続された各エレメント１６ａについて同時（並列的）に検出する。
【００６３】
なお、電流検出アンプ５１の構成の詳細については、本発明の要旨に関係がないのでここでは詳細な説明を省略するが、周知の構成を種々適用することが可能である。電流検出アンプ５１の構成によっては、スイッチ５２および電源５３並びに各エレメント１６ａとの接続態様が上記とは異なるものとなるのは勿論である。
【００６４】
放射線照射部６０は、放射線Ｒを発する放射線源６１、放射線源６１を駆動する電力を発生する高電圧発生器６２、高電圧発生器６２と接続された撮影をコントロールするスイッチ６３とからなる。スイッチ６３は、スイッチ６３ａ，６３ｂから成る２段スイッチとなっており、スイッチ６３ａがオンしなければスイッチ６３ｂはオンしないように構成されている。
【００６５】
なお、後述するように、第１〜第４の作用が、所定のタイミングで自動的に行なわれるようにするために、制御手段７０には、スイッチ６３ａ，６３ｂからの信号Ｓ１，Ｓ２と、高電圧発生器６２からのスタンバイ信号Ｓ４、記録放射線の照射終了を示す照射終了信号Ｓ５および設定された記録放射線の照射時間を示す信号Ｓ６と、光源制御手段４０からの前露光光の照射が終了したことを示す照射終了信号Ｓ７が夫々入力され、また制御手段７０からは、光源制御手段４０に向けて制御信号Ｃ１が、スイッチ５２に向けて制御信号Ｃ２が、高電圧発生器６２に向けて制御信号Ｃ３が夫々出力されるようにする。
【００６６】
制御信号Ｃ２がＨのときにはスイッチ５２が電源５３側に切り換えられ、検出器１０（詳しくは第１電極層１１の電極とストライプ電極１６との間）に電源５３から直流電圧が印加される。一方制御信号Ｃ２がＬのときには、スイッチ５２は第１電極層１１側に切り換えられ、電流検出アンプ５１を構成する不図示のオペアンプのイマジナリーショートを介して第１電極層１１の電極とストライプ電極１６とが実質的にショートされ、両電極が同電位にされる。また制御信号Ｃ２がハイインピーダンス状態のときにはスイッチ５２は中点に設定され、電源５３の正極はフローティング状態となり、検出器１０への電圧印加が行なわれないし両電極が同電位にされることもない。高電圧発生器６２は、制御信号Ｃ３としてＨが入力されたときには高圧ＨＶを放射線源６１に供給し、放射線源６１から放射線Ｒを発生させる。
【００６７】
以下、上記構成の放射線画像撮影読取装置１の作用について説明する。なお、図２などに示すタイミングチャートにおいて、ハイレベル期間が、検出器に電圧が印加されたり光（前露光光、記録放射線、読取光）が照射されるアクティブな期間であり、ローレベル期間（基準レベル期間）がその反対のインアクティブな期間である。なお、図３の空電圧印加については、基準レベルよりもレベルが低い負（−）電圧期間もアクティブな期間である。
【００６８】
この本発明を適用した装置１において静電潜像を検出器１０に記録するに際しては、検出器１０への記録用電圧の印加開始の前に、前露光光の照射開始および照射停止の制御並びに第１電極層１１の電極とストライプ電極１６との間への空電圧の印加開始および印加停止の制御が加わる点が従来の装置と異なる。以下、詳細に説明する。
【００６９】
図２は装置１の第１の作用を説明するタイミングチャートである。この第１の作用は、空読みを行なった後に静電潜像の記録を行なうようにしたものである。
【００７０】
具体的には、前露光光の照射開始を制御する前露光開始制御に際して、先ず、制御手段７０はスイッチ５２に入力される制御信号Ｃ２をＬとする。これによりスイッチ５２が第１電極層１１側に切り換えられ、第１電極層１１の電極とストライプ電極１６とが実質的にショートされ、両電極が同電位にされる。次に、光源制御手段４０に入力される制御信号Ｃ１をＬ（前露光モード）にして、面状光源３０に前露光光としてのＥＬ光を発光させて、読取用光導電層１４に前露光光を照射する空読みを行なわさせる。
【００７１】
なお、この空読みのための前露光光は、光疲労状態を効果的に形成させるために光強度が強いことが好ましく、また前露光光の照射は長時間（例えば１０ｓｅｃ）である必要はなく、比較的短時間（１ｍｓｅｃ〜１ｓｅｃ）で十分である。これらのことから、前露光光のエネルギ密度（Cd/m2 ）は１００〜１０，０００Cd/m2 程度（例えば２mW/cm2 ）で、その照射時間を５０ｍｓｅｃ程度とする。
【００７２】
次に、この空読みを停止するべく、光源制御手段４０に入力される制御信号Ｃ１をハイインピーダンス状態として、面状光源３０からのＥＬ光の発光を停止させる。
【００７３】
このようにして空読みを停止した後、第１電極層１１の電極とストライプ電極１６との間に記録用電圧を印加した状態で第１電極層１１に記録用の放射線Ｑを照射して、検出器１０に静電潜像の記録を行なう。具体的には、先ず検出器１０内の記録用光導電層１２で発生した電荷を蓄電部１９に蓄積させることができるように、スイッチ５２を電源５３側に切り換えて第１電極層１１の電極とストライプ電極１６との間に電源５３から記録用電圧としての所定の大きさの直流電圧を印加して、両者を帯電させる。なお、この記録用電圧の印加は、前露光光の光導電層への照射が完全に停止した後に限らず、前露光光の照射と記録用電圧の印加とが多少オーバーラップしてもかまわない。
【００７４】
この記録用電圧の印加の後、高電圧発生器６２から高圧ＨＶを放射線源６１に供給させ、放射線源６１から放射線Ｒを照射させる。この放射線Ｒを被写体６５に爆射し、被写体６５を透過した被写体６５の放射線画像情報を担持する記録放射線Ｑを設定された照射時間だけ検出器１０に照射する。すると、検出器１０の記録用光導電層１２内で正負の電荷対が発生し、その内の負電荷が所定の電界分布に沿ってストライプ電極１６の各エレメント１６ａに集中せしめられ、記録用光導電層１２と電荷輸送層１３との界面である蓄電部１９に潜像電荷として蓄積される。潜像電荷の量は照射放射線量に略比例するので、この潜像電荷が静電潜像を担持することとなる。一方、記録用光導電層１２内で発生する正電荷は第１電極層１１に引き寄せられて、電源５３から注入された負電荷と電荷再結合し消滅する。
【００７５】
次に、検出器１０から静電潜像を読み取る際には、先ず制御信号Ｃ１をＨ（読取光モード）にし、スイッチ５２を検出器１０の第１電極層１１側に接続して、光源制御手段４０により、エレメント３１ａを順次切り替えながら、夫々のエレメント３１ａと導電層３３との間に所定の直流電圧を印加して、ＥＬ層３２から発せられるライン光で検出器１０の全面を電気的に走査する。
【００７６】
このライン光による走査により副走査位置に対応するライン光が入射した光導電層１４内に正負の電荷対が発生し、その内の正電荷が蓄電部１６に蓄積された負電荷（潜像電荷）に引きつけられるように電荷輸送層１３内を急速に移動し、蓄電部１６で潜像電荷と電荷再結合し消滅する。一方、光導電層１４に生じた負電荷は電源５３からストライプ電極１６に注入される正電荷と電荷再結合し消滅する。このようにして、検出器１０の蓄電部１９に蓄積されていた負電荷が電荷再結合により消滅し、この電荷再結合の際の電荷の移動による電流が検出器１０内に生じる。この電流を各エレメント１６ａ毎に接続された各電流検出アンプ５１が同時に検出する。読取りの際に検出器１０内を流れる電流は、潜像電荷すなわち静電潜像に応じたものであるから、この電流を検出することにより静電潜像を読み取る、すなわち静電潜像を表す画像信号を取得することができる。
【００７７】
ここで、前露光光の読取用光導電層１４への照射開始やその停止、並びに検出器１０への記録用電圧の印加開始の制御に際しては、操作者による制御手段７０への指令に基づいてそのタイミング制御を行なうようにしてもよいが、前露光光の照射開始やその停止、並びに記録用電圧の印加開始が、夫々所定のタイミングで自動的に行なわれるようにする方が好ましい。
【００７８】
このためには、例えば、制御手段７０内にタイマーを設けて所定の設定時間経過後に制御信号Ｃ１〜Ｃ３が発せられるように構成したり、あるいはスイッチ６３ａの押し下げに連動して前露光光の照射を開始し、その後所定時間だけ前露光光を照射し、前露光光の照射が停止したことを前露光光の照射終了信号Ｓ７をトリガとしたりセンサなどで検出した後に、検出器１０への電圧印加を開始するようにするとよい。
【００７９】
なお、記録や読取りの制御についても、夫々所定のタイミングで自動的に行なわれるようにする方が好ましいのは勿論である。
【００８０】
このように、本発明による画像情報記録読取方法を適用した装置１によれば、第１電極層１１の電極とストライプ電極１６とを同電位にした状態で読取用光導電層１４に前露光光を照射する空読みを行ない、該空読みを停止した後、両電極間に記録用電圧を印加した状態で記録用の放射線Ｑを照射して静電潜像の記録を行なうようにしたので、前露光光が照射された読取用光導電層１４の光入射界面（電子−ホールペア形成領域）には、光疲労状態（トラップ蓄積状態）が一時的に形成されるようになり、読取光を照射した際に生じ得る光起電力ノイズが前記光疲労状態によって低減すると共に安定化するようになる。
【００８１】
次に、上記構成の放射線画像撮影読取装置１の第２の作用について説明する。図３は、装置１の第２の作用を説明するタイミングチャート、図４は、光導電層に電界を印加した際および停止した際に生じる暗電流成分の基本的な時間応答特性（以下電流特性という）を示した図、図５は記録過程における電流特性を示した図である。なお、図５においては、前露光の分を割愛して示している。
【００８２】
上述した第１の作用は、空読みを行なった後に静電潜像の記録を行なうようにしたものであるが、この第２の作用は、上記第１の作用における空読みに先立って、第１電極層１１の電極とストライプ電極１６との間に所定の大きさおよび所定の極性の電圧（以下空電圧という）を所定の時間だけ印加する空電圧印加を行なうようにしたものである。ここでは、空電圧印加のオン時間Ｔｏｎを１秒以内とし、空電圧印加の停止後１秒以内に前露光光を照射することとする。
【００８３】
具体的には、読取用光導電層１４に前露光光を照射する前に、スイッチ５２を電源５３側に切り換えて第１電極層１１の電極とストライプ電極１６との間に電源５３から空電圧を所定の時間だけ印加する。
【００８４】
なお、この第２の作用においては、少なくとも空電圧印加の開始が空読みの開始よりも先であれば良く、空電圧印加の停止と空読みの開始とは、夫々が多少相前後してもかまわない。
【００８５】
また、図１においては、この空電圧として記録用の電圧と同じ大きさおよび極性の電圧を印加するものとして示しているが、電源５３を、電圧値を変更可能なものとすると共に、その極性を反転させることができるようなものとすることにより、電圧値および極性を記録用の電圧と異なるものとすることができる。
【００８６】
検出器１０の両電極間に電圧（一般には高圧）を印加してから短絡までの間には、電極から記録用光導電層１２への電荷注入が生じ、注入された電荷が空間電荷としてトラップされつつ、一方で空間電荷としてはトラップされずに漏れ電流として光導電層１２内に暗電流が流れる。
【００８７】
ここで、暗電流は、図４に示すように、電界（電圧）印加当初（ｔ１）は非常に大きな瞬時充電電流となり、その後時間と共に徐々に減少する吸収電流となり、やがて一定の漏れ電流値に近づいていく。逆に、電界を完全に停止したときには、その当初（ｔ２）は前記瞬時充電電流とは逆方向の大きな瞬時放電電流が流れ、その後時間と共に徐々に減少する解放電流が流れ、やがて略ゼロに近づいていく。すなわち、電界印加直後の暗電流レベルは、安定化した状態（安定した漏れ電流状態）の暗電流レベルよりも大きい。この現象は、印加電界が大きい（印加電圧が高い）ほど顕著であり、漏れ電流レベルに安定化するまで、例えば１０分以上要する場合もある。
【００８８】
このことは、時間と共に検出器が時間と共に高抵抗化している、つまり、デバイス抵抗は一定でなく、電圧を長くかけたものほど高抵抗になるということである。
【００８９】
また、この現象は、光導電層の厚みにはあまり影響を受けない現象であり、界面に検出器の高抵抗化をもたらす空間電荷が蓄積していく、すなわち時間と共に界面の空間電荷状態が変化すると考えるべきである。
【００９０】
これは、図４に示すように、暗電流Ｉと時間ｔとの関係を示す電流応答が、Ｉ∝ｔ-nなる関係、すなわちｌｏｇＩ−ｌｏｇｔで捉えると一定の時定数のところに電流が集中しない状態となり、このことは、比較的短時間で注入あるいは放出される空間電荷と比較的長時間をかけなければ注入あるいは放出されない空間電荷とが分布している、換言すれば、電極と光導電層との界面における空間電荷の振る舞いとして、時定数の短いもの（１秒以内）と時定数の長い（数１０秒〜１分程度以上）ものとがあると考えるのが適当である。
【００９１】
さらに、一旦安定化したとしても、両電極を短絡してしばらくの間電界印加を休止すると、その後に再度電圧を印加した直後には暗電流レベルが元の大きさに戻る傾向を示す。したがって、電界印加直後の大レベルの暗電流による暗潜像は読取りに際しては大きなノイズ源となる。さらに、この暗潜像の量は、電圧を印加してから記録用の放射線を照射するまでの時間すなわち吸収電流期間や使用履歴と共に変化するため、暗潜像ノイズが再生画像に現れないように画像データを補正することも困難である。
【００９２】
一方、この第２の作用のように、空読みに先立って、第１電極層１１の電極とストライプ電極１６との間に空電圧を所定の時間だけ印加する（空電圧印加を行なう）ようにすれば、空電圧印加停止後に記録用電界を印加した時点（ｔ３）の解放電流に記録用電界印加時の瞬時充電電流と吸収電流が加わることになるので、記録用電界印加時の瞬時充電電流および吸収電流の大きさは、図４に示すように、検出器１０の両電極を長時間短絡状態としてから記録用電界を印加したとき（図中点線）に比べて低レベルになり、やがて記録用電界に応じた漏れ電流値に近づく。この状態は、読取用光導電層１４の内部あるいは読取用光導電層１４とストライプ電極１６との界面に、安定化した高抵抗状態をもたらす負の空間電荷状態が形成された状態であり、また蓄電部１９には暗潜像蓄積の少ない状態が実現される。換言すれば、記録の直前に高い電圧の空電圧印加を比較的短時間加えることは記録用電界を長時間印加する代わりになり、やや過剰に高い空電圧印加であった場合には一時的に逆極性の暗電流が流れるため、見かけ上非常に高い高抵抗状態が生じる。
【００９３】
したがって、空電圧印加後の短時間の間（１秒以内）に記録用電界を印加し記録を行なっても、従来のような大レベルの暗潜像ノイズが生じる虞が軽減し、暗潜像ノイズが低減すると共に安定化するようになる。
【００９４】
次に、上記構成の放射線画像撮影読取装置１の第３の作用について説明する。図６は、装置１の第３の作用を説明するタイミングチャートである。
【００９５】
この第３の作用は、第２の作用における空電圧印加とそれに続く空読みを所定回数だけ繰り返す前処理を行なった後に、静電潜像の記録を行なうようにしたものである。ここでは、空電圧印加と空読みとを繰り返し行なう前処理の１サイクル（時間幅Ｔ）内の空電圧印加のオン・オフの各時間（Ｔon，Ｔoff ）のデューティ比（Ｔon／Ｔ）を５０％〜９０％程度とする。また、繰り返しサイクル数は３程度とする。
【００９６】
第２の作用において説明したように、空電圧印加を短時間だけ行なって停止させると時定数の短い空間電荷のみが応答し得るので、静電潜像の記録ごとに、該記録に先立って、空電圧印加とそれに続く空読みとを所定回数だけ繰り返す前処理を行なうようにすれば、比較的短時間で注入あるいは放出される空間電荷による浅いトラップの形成と開放とを促進し、一方比較的長時間をかけなければ注入あるいは放出されない空間電荷による深いトラップが安定的に蓄積された状態を作ることができるようになる。このことは、電圧印加と短絡の履歴を受けた電界下において光が照射されることによって生じる前記高圧印加履歴ノイズの安定化（繰り返し安定化）に効果があり、高圧印加履歴ノイズが再生画像に現れないように画像データを補正することもできるようになる。
【００９７】
次に、上記構成の放射線画像撮影読取装置１の第４の作用について説明する。図７は、装置１の第４の作用を説明するタイミングチャートである。
【００９８】
上記第３の作用においては、静電潜像の記録ごとに空電圧印加と空読みとを繰り返す前処理を行なっていたが、この場合、該前処理の分だけ読取り後直ちに記録を行なうことができない、あるいは連続撮影を行なうと前処理ごとにノイズ量が徐々に変化し長期的安定性には優れないといった問題が生じる。第４の作用はこの問題を解消するものであり、第１電極層１１の電極とストライプ電極１６との間に所定の大きさおよび所定の極性の電圧（空電圧）を所定の時間だけ印加する予備空電圧印加と第１電極層１１の電極とストライプ電極１６とを同電位にした状態で読取用光導電層１４に前露光光を照射する予備空読みとを所定回数だけ繰り返す予備処理を行ない、その後、記録と読取とを複数回連続的に繰り返す連続撮影を行なうようにしたものである。
【００９９】
なお、予備空電圧印加は、上記第２の作用における空電圧印加と殆ど同じであるが、１サイクル（時間幅Ｔ）内の予備空電圧印加のオン時間が１秒〜１０秒程度、好ましくは１秒程度としている点が異なる。なお、オン・オフの各時間（Ｔon，Ｔoff ）のデューティ比（Ｔon／Ｔ）は５０％〜９０％程度とし、トータルの予備処理時間を少なくとも１分で、且つ前記連続撮影の時間幅と略同じかそれ以上に設定する。なお、撮影を行なっていない間中は、常に予備処理を行なっていてもよい。
【０１００】
また予備空読みは、第１の作用における空読みと実質的に同じであり、前露光光のエネルギ密度（Cd/m2 ）は１００〜１０，０００Cd/m2 程度（例えば２mW/cm2 ）で、その照射時間を５０ｍｓｅｃ程度とする。
【０１０１】
この第４の作用においては、第３の作用から推測されるように、予備処理によって既に系が安定した状態になっているので、前述の第１〜第３の作用における各種の処理が不要になることが多く、連続撮影時の１サイクル当たりの時間幅を問わず、読取り後直ちに記録を行なうことができる。
【０１０２】
また読取りと記録との間に前処理を挟むことなく連続撮影を行なうことができるので、第３の作用に比べて長期的安定性に優れる。この結果、安定性持続時間も長くなるので、連続撮影時の最初の記録のタイミングは予備処理の終了タイミングに対して合わせなくてもよくなる、すなわち予備処理期間と連続撮影期間との間の待機期間の時間幅を任意に設定してもよくなる。例えば、予備空電圧印加のオン時間やデューティ比あるいは予備処理期間の時間幅に拘わらず、待機期間を１〜１０秒に設定してもよい。
【０１０３】
なお、この予備処理は、その処理時間を少なくとも１０ｓｅｃ以上好ましくは１分以上で、連続撮影の時間幅と同じかそれ以上としており、予備処理が完了するまでの待ち時間がない場合には、事実上この予備処理を行なうことが難しい。すなわち、装置の使用形態によっては、連続撮影の都度予備処理を行なう時間を確保できないこともある。したがって、実際の使用に際しては、要求されるノイズ低減量と装置の使用形態とに応じて、前述の第１〜第４の作用を適宜組み合わせて実施するとよい。
【０１０４】
以上、本発明の画像情報記録読取方法および装置を適用した放射線画像撮影読取装置について説明したが、本発明は上記実施の形態に限定されるものではなく、静電記録体（放射線固体検出器）への記録用電圧の印加開始の前に、空読みや空電圧印加あるいはこれらの繰り返しである前処理や予備処理を行なうようにするものであればどのようなものであってもよい。
【０１０５】
例えば、本発明に使用される静電記録体は、第１電極層、光導電層、および第２電極層をこの順に有すると共に、第１電極層と２電極層との間に蓄電部が形成されて成る光読出方式のものであって、且つポジ型のものであれば良く、蓄電部を形成するために、例えば上記米国特許第４５３５４６８号や特願平１０−２３２８２４号などに記載のように、さらに他の層や微小導電部材（マイクロプレート）を積層して成るものであってもかまわない。
【０１０６】
また、本発明の前露光手段は、必ずしも上述した面状光源３０や光源制御手段４０の構成のみに限定されず、ビーム光やライン光の照射位置を静電記録体に対して相対移動させるものであればよく、例えば読取用の光源と別体のものであってもよいし、電気的な走査に限らず、光源と静電記録体とを機械的に相対移動させる構成のものであってもよい。
【図面の簡単な説明】
【図１】本発明の画像情報記録読取方法および装置を適用した、放射線画像撮影読取装置の概略図
【図２】本発明を適用した放射線画像撮影読取装置の第１の作用を説明すタイミングチャート
【図３】本発明を適用した放射線画像撮影読取装置の第２の作用を説明すタイミングチャート
【図４】光導電層に電界を印加した際および停止した際に生じる暗電流成分の時間応答を示した図
【図５】記録過程における時間応答を示した図
【図６】本発明を適用した放射線画像撮影読取装置の第３の作用を説明すタイミングチャート
【図７】本発明を適用した放射線画像撮影読取装置の第４の作用を説明すタイミングチャート
【符号の説明】
１    放射線画像撮影読取装置
１０  静電記録体（放射線固体検出器）
２０  読取部
３０  面状光源（読取光用、前露光光用の光源）
４０  光源制御手段
５０  電流検出回路
６０  放射線照射部
７０  制御手段
【図１】
0004444456.tif 000002
【図２】
0004444456.tif 000003
【図３】
0004444456.tif 000004
【図４】
0004444456.tif 000005
【図５】
0004444456.tif 000006
【図６】
0004444456.tif 000007
【図７】
0004444456.tif 000008